(57)【要約】【課題】電柱間に架設された既設電線に新設電線を分岐接続する際に、新設電線を一方の電柱側で既設電線に接続するのではなく、電柱間の既設電線の中途部に分岐接続することとし、この際、新設電線を既設電線に保持させる装置を新たに開発する。【解決手段】既設電線１の分岐接続箇所４１近傍に、新設電線５を保持する配電線用中間保持装置３を新設電線５の接続端部近傍を掴むクランプ手段７と、既設電線１を挟持する挟持部３１を有する新設電線保持手段９と、クランプ手段７と新設電線保持手段９とを連結し新設電線５を既設電線１の分岐接続箇所４１近傍に新設電線保持手段９を介して保持させる連結手段１１とで構成する。【選択図】図２
2007185076.tif 000002
【特許請求の範囲】
【請求項１】
電柱間に架設された既設電線の中途部に新設電線を分岐接続する際、既設電線の分岐接続箇所近傍に取り付けられて新設電線を保持する配電線用中間保持装置であって、
新設電線の接続端部近傍を掴むクランプ手段と、
既設電線を挟持する挟持部を有する新設電線保持手段と、
上記クランプ手段と上記新設電線保持手段とを連結し新設電線を既設電線の分岐接続箇所近傍に新設電線保持手段を介して保持させる連結手段とを備えたことを特徴とする配電線用中間保持装置。
【請求項２】
請求項１に記載の配電線用中間保持装置において、
上記挟持部の内面には滑止材が設けられていることを特徴とする配電線用中間保持装置。
【発明の詳細な説明】
【技術分野】
【０００１】
この発明は、電柱間に架設された既設電線に新設電線を分岐接続する際に使用する配電線用中間保持装置に関するものである。
【背景技術】
【０００２】
従来より、電柱間に架設された既設電線に新設電線を分岐接続する際、例えば、図６に示すような配電線用中間保持装置ａを使用している。この中間保持装置ａは、１本のシャフトｂに３個の碍子ｃが回動自在に外嵌めされ、隣り合う碍子ｃ間に二股に分かれた２個の保持部材ｄを介装して上記３個の碍子ｃを上下に並設された３本の既設電線ｅに対応させるようになっている。
【０００３】
そして、この中間保持装置ａを使用して既設電線ｅに新設電線ｆを分岐接続するには、隣り合う電柱ｇの一方（図６左側）の電柱ｇ側で３本の新設電線ｆの各々の一端を３本の既設電線ｅにそれぞれ接続する。なお、図６では具体的な接続状態は省略している。次いで、これら新設電線ｆを上記各既設電線ｅに沿わせて分岐箇所まで延ばし当該箇所に中間保持装置ａを配置して上記３本の新設電線ｆを３個の碍子ｃにそれぞれ巻き掛けて略９０度に配線の方向を変えるとともに、２個の保持部材ｄの基端にワイヤｈの一端を連結して他端を他方（図６右側）の電柱ｇ側に張力を持たせた状態で取り付け、中間保持装置ａが新設電線ｆから落下しないようにしている。
【０００４】
しかし、かかる先行技術は、文献公知発明に係るものでないため、記載すべき先行技術文献情報はない。
【発明の開示】
【発明が解決しようとする課題】
【０００５】
ところが、上記中間保持装置ａを使用した配線作業では、既設電線ｅに新設電線ｆを分岐接続する際に、新設電線ｆを一方の電柱ｇから分岐箇所まで既設電線ｅに沿わせているので、分岐箇所が一方の電柱ｇから遠く離れている場合には新設電線ｆが長く必要であり経費がかかる。また、上記中間保持装置ａを新設電線ｆから脱落しないようにワイヤｈで他方の電柱ｇ側に引っ張っているので、ワイヤｈが必要な分だけ部品点数が増大し、経費がさらにかかる。さらに、ワイヤｈを他方の電柱ｇに連結するまでの間作業者が中間保持装置ａを保持しなければならず、かつ、ワイヤｈを引っ張って他方の電柱に連結する作業もしなければならず、配線作業が複雑である。また、ワイヤにより景観を阻害することにもなる。
【０００６】
この発明はかかる点に鑑みてなされたものであり、その目的とするところは、電柱間に架設された既設電線に新設電線を分岐接続する際に、新設電線を一方の電柱側で既設電線に接続するのではなく、電柱間の既設電線の中途部に接続することとし、この際、新設電線を既設電線に保持させる装置を新たに開発したことである。
【課題を解決するための手段】
【０００７】
上記の目的を達成するため、この発明は、電柱間に架設された既設電線の中途部に新設電線を分岐接続する際、既設電線の分岐接続箇所近傍に取り付けられて新設電線を保持する配電線用中間保持装置を対象とし、次のような解決手段を講じた。
【０００８】
すなわち、請求項１に記載の発明は、新設電線の接続端部近傍を掴むクランプ手段と、既設電線を挟持する挟持部を有する新設電線保持手段と、上記クランプ手段と上記新設電線保持手段とを連結し新設電線を既設電線の分岐接続箇所近傍に新設電線保持手段を介して保持させる連結手段とを備えたことを特徴とする。
【０００９】
請求項２に記載の発明は、請求項１に記載の配電線用中間保持装置において、上記挟持部の内面には滑止材が設けられていることを特徴とする。
【発明の効果】
【００１０】
請求項１に係る発明によれば、電柱間の既設電線の中途部に新設電線を分岐接続しているので、新設電線を一方の電柱から分岐箇所まで既設電線に沿わせて配線する場合に比べて、その間の新設電線が不要で短い新設電線で安価に配線作業を行うことができる。また、新設電線を中間保持装置で既設電線の分岐接続箇所近傍に取り付けているので、従来技術のように中間保持装置をワイヤで他方の電柱側に引っ張る必要がなく、ワイヤがいらない分だけ経費をさらに低減することができるとともに、景観に悪影響を及ばないようにすることができる。さらに、ワイヤ連結作業やその間の中間保持装置の保持作業がいらず、配線作業を容易に行うことができる。
【００１１】
請求項２に係る発明によれば、挟持部内面の滑止材で既設電線に対する中間保持装置の動きを規制しているので、新設電線を既設電線に安定して取り付けることができる。
【発明を実施するための最良の形態】
【００１２】
以下、この発明の実施形態について図面に基づいて説明する。
【００１３】
図１は、電柱（図示せず）間に架設された上下３本の既設電線１の中途部にこの発明の実施形態に係る配電線用中間保持装置３を使用して３本の新設電線５をそれぞれ分岐接続している状態を示す。上記中間保持装置３は、交通事情、立地事情、またコスト削減等により、新たに電柱を設けることができない場合等に、主に使用されるもので、大きく分けてクランプ手段７と新設電線保持手段９とこれらクランプ手段７及び新設電線保持手段９を連結する連結手段１１との３つの要素でもって構成されている。各々の構成要素を以下具体的に説明する。
【００１４】
まず、クランプ手段７について説明する。該クランプ手段７は、図２に示すように、新設電線５を下方から支持する第１クランプ部材１３と、上方から押さえる第２クランプ部材１５とからなり、第１クランプ部材１３と第２クランプ部材１５との間に新設電線５を通して新設電線５の接続端部近傍を両クランプ部材１３，１５で掴むようになっている。これら第１クランプ部材１３と第２クランプ部材１５とはカバー１７内の内部に収められている。
【００１５】
次に、新設電線保持手段９について説明する。該新設電線保持手段９は、図３乃至図５にも示すように、一対の金属製板状部材１９を上下に重ね合わせて形成されている。上記各板状部材１９の略半分の領域は扁平な合わせ板部２１となっているとともに該合わせ板部２１にはボルト挿通孔（図示せず）が２個ずつ形成されており、その中央部には半円形の膨出部２３が形成されている。上記合わせ板部２１の一端にはＬ字状の碍子取付板部２５が形成されており、該碍子取付板部２５の中央にはボルト挿通孔２７が形成されている。このように構成された一対の板状部材１９は、上記碍子取付板部２５が互いに離れるように合わせ板部２１を重ね合わせてボルト２９により締結され、両膨出部２３を互いに重ね合わせて筒状の挟持部３１を形成し、該挟持部３１で既設電線１を挟持するようになっている。この挟持部３１（膨出部２３）の内面にはゴム製の滑止材３３が貼り付けられている。
【００１６】
次に、連結手段１１について説明する。該連結手段１１はローラー状の碍子３５と連結ワイヤ３７とで構成されており、上記碍子３５にはボルト挿通孔（図示せず）が上下に貫通して形成されている。この碍子３５は新設電線保持手段９の両碍子取付板部２５間に軸３９で回動自在に取り付けられている。上記連結ワイヤ３７は、上記碍子３５に中途部が巻き掛けられて両端が上記クランプ手段７の第１クランプ部材１３に取り付けられ、上記クランプ手段７と新設電線保持手段９とを連結し、新設電線５を既設電線１の分岐接続箇所４１近傍に新設電線保持手段９を介して保持させるようになっている。
【００１７】
上記のように構成された中間保持装置３を使用して既設電線１に新設電線５を分岐接続する要領について説明する。
【００１８】
なお、配線作業に使用する中間保持装置３としては、クランプ手段７と新設電線保持手段９とが連結手段１１によって連結されているものとする。ただし、新設電線保持手段９の挟持部３１両側のボルト２９は外しておく。
【００１９】
まず、クランプ手段７の第１クランプ部材１３と第２クランプ部材１５との間に新設電線５の接続端部側を挿入して、下方から第１クランプ部材１３で支持して上方から第２クランプ部材１５で押さえて新設電線５の接続端部近傍を掴む。
【００２０】
次いで、上記中間保持装置３を既設電線１の分岐接続箇所４１近傍に配設し、新設電線保持手段９の上下の合わせ板部２１を互いに離れる方向に広げて挟持部３１で既設電線１の分岐接続箇所４１近傍を挟持した後、挟持部３１両端のボルト挿通孔にボルト２９を挿通して合わせ板部２１を締結する。この状態で新設電線５を引っ張って撓まないように張力を付与する。
【００２１】
その次に、新設電線５の接続端部の被覆を剥がすとともに、既設電線１の接続箇所の被覆を剥がし、両者の露出した芯線を重ねて接触させて圧縮スリーブ４３で両者を圧縮し、既設電線１に新設電線５を接続する。
【００２２】
上記の配線作業を上下３本の電線に対して同様に行う（図１参照）。
【００２３】
このように構成された配電線用中間保持装置３は、電柱間の既設電線１の中途部に新設電線５を分岐接続しているので、新設電線５を一方の電柱から分岐接続箇所４１まで既設電線１に沿わせて配線する場合に比べて、その間の新設電線５が不要で短い新設電線５を安価に配線作業を行うことができる。また、新設電線５を中間保持装置３で既設電線１の分岐接続箇所４１近傍に取り付けているので、従来技術のように中間保持装置ａをワイヤｈで他方の電柱ｇ側に引っ張る必要がなく、ワイヤｈがいらない分だけ経費をさらに低減することができるとともに、景観に悪影響を及ばないようにすることができる。さらに、ワイヤ連結作業やその間の中間保持装置ａの保持作業がいらず、配線作業を容易に行うことができる。また、新設電線５を保持するための新設電線保持手段９は挟持部３１を有して既設電線１を挟持し、さらに、挟持部３１内面の滑止材３３で既設電線１に対する中間保持装置３の動きを規制しているので、新設電線を既設電線１に安定して取り付けることができる。
【産業上の利用可能性】
【００２４】
この発明は、電柱間に架設された既設電線に新設電線を分岐接続する際に使用する配電線用中間保持装置について有用である。
【図面の簡単な説明】
【００２５】
【図１】実施形態に係る配電線用中間保持装置を使用して既設電線に新設電線を分岐接続させた状態を示す斜視図である。
【図２】図１の要部拡大図である。
【図３】新設電線保持手段の平面図である。
【図４】新設電線保持手段及び連結手段の側面図である。
【図５】新設電線保持手段の斜視図である。
【図６】従来の配電線用中間保持装置の使用状態を示す図である。
【符号の説明】
【００２６】
１        既設電線
３        配電線用中間保持装置
５        新設電線
７        クランプ手段
９        新設電線保持手段
１１        連結手段
３１        挟持部
３３        滑止材
３５        碍子（連結手段１１）
３７        取付ワイヤ（連結手段１１）
４１        分岐接続箇所
【図１】
2007185076.tif 000003
【図２】
2007185076.tif 000004
【図３】
2007185076.tif 000005
【図４】
2007185076.tif 000006
【図５】
2007185076.tif 000007
【図６】
2007185076.tif 000008